(57)【要約】【課題】ショックアブソーバ自体を大型化することなく、優れた衝撃吸収能力を有するショックアブソーバを提供する。【解決手段】ショックアブソーバ１に、円筒状のケーシング２と、ケーシング２の軸方向に進退自在に設けられケーシング２の外部で衝撃が加えられる棒状のロッド３と、圧力室４と、圧力室４においてロッド３の先端に取り付けられたピストン５と、圧力室４に充填された作動流体６とを備える。ピストン５は、重ね合わされて固定されたロッド側部材１０及び先端側部材１１と、先端側部材１１の側面の溝に嵌装されたＯリング１２とからなり、ピストン５の両面は、ロッド側オリフィス１３と先端側オリフィス１４と連通路１５とにより連通している。連通路１５の存在によって流路１６が長くなり、作動流体６が流路１６を流動する際に生ずる抵抗が増加するので、ショックアブソーバ１の衝撃吸収能力が向上する。【選択図】    図１
2004211823.tif 000002
【特許請求の範囲】
【請求項１】
筒状部材と、該筒状部材の内部における閉空間からなる圧力室と、該圧力室において軸方向に進退自在に設けられたロッドと、前記圧力室において前記ロッドに取り付けられたピストンと、前記圧力室の内部に封入された作動流体とを有するショックアブソーバであって、
前記ピストンにおけるロッド側を構成するロッド側部材と、
前記ロッド側部材を貫通するように設けられたロッド側オリフィスと、
前記ピストンにおける先端側を構成する先端側部材と、
前記先端側部材を貫通するように設けられた先端側オリフィスと、
前記ロッド側部材と前記先端側部材との接合面において前記ロッド側オリフィスと前記先端側オリフィスとを連通させるように設けられた連通路とを備えたことを特徴とするショックアブソーバ。
【請求項２】
請求項１記載のショックアブソーバにおいて、
前記接合面において前記連通路は最短経路以外の経路を通っていることを特徴とするショックアブソーバ。
【発明の詳細な説明】
【０００１】
【発明の属する技術分野】
本発明は、小型で優れた衝撃吸収能力を有するショックアブソーバに関するものである。
【０００２】
【従来の技術】
従来、オイル等の作動流体を使用したショックアブソーバの構造のうち、低速で衝突する場合の衝撃を吸収するタイプとして、単孔オリフィス構造が知られている（例えば、非特許文献１参照）。この構造は、厚さ方向においてピストンを貫通するようにして、作動流体の流路である１個のオリフィスが設けられているものである。
【０００３】
【非特許文献１】
株式会社ミスミ、“ショックアブソーバ  −概要−”、第６６５頁−６６６頁、［ｏｎｌｉｎｅ］、掲載年月日（最終更新日）：２００２年５月２３日、株式会社ミスミ、［平成１４年１２月２４日検索］、インターネット＜ＵＲＬ：ｈｔｔｐ：／／ｗｗｗ．ｍｏｌ．ｎｅ．ｊｐ／ｆａｃｅ／ｆａ／ｐｄｆ／ｐ６６５．ｐｄｆ＞
【０００４】
【発明が解決しようとする課題】
しかしながら、上記従来の技術によれば、厚さ方向においてピストンを貫通するようにして、１個のオリフィスが設けられる。これにより、大きな衝撃エネルギーを吸収するためには、言い換えれば、衝撃吸収能力を向上させるためには、オリフィスを長くする必要があるので、ピストンの厚さを増すことになる。したがって、ショックアブソーバ自体の小型化を図ることが困難であるという問題がある。
【０００５】
本発明は、上述の課題を解決するためになされたものであり、ショックアブソーバ自体を大型化することなく、優れた衝撃吸収能力を有するショックアブソーバを提供することを目的とする。
【０００６】
【課題を解決するための手段】
上述の技術的課題を解決するために、本発明に係るショックアブソーバは、筒状部材と、該筒状部材の内部における閉空間からなる圧力室と、該圧力室において軸方向に進退自在に設けられたロッドと、圧力室においてロッドに取り付けられたピストンと、圧力室の内部に封入された作動流体とを有するショックアブソーバであって、ピストンにおけるロッド側を構成するロッド側部材と、ロッド側部材を貫通するように設けられたロッド側オリフィスと、ピストンにおける先端側を構成する先端側部材と、先端側部材を貫通するように設けられた先端側オリフィスと、ロッド側部材と先端側部材との接合面においてロッド側オリフィスと先端側オリフィスとを連通させるように設けられた連通路とを備えたことを特徴とする。
【０００７】
これによれば、圧力室においてピストンのロッド側と先端側との間を作動流体が流動する経路、すなわち流路が、接合面に設けられた連通路によって長大になる。これにより、ピストンの厚さを増すことなく、流路を長大にすることができるので、その流路において作動流体が流動する際に生ずる抵抗が増加する。したがって、ショックアブソーバ自体が大型になることなく、ショックアブソーバの衝撃吸収能力が向上する。
【０００８】
また、本発明に係るショックアブソーバは、上述したショックアブソーバにおいて、接合面において連通路は最短経路以外の経路を通っていることを特徴とする。
【０００９】
これによれば、ピストンの厚さを増すことなく、作動流体の流路をいっそう長大にすることができる。したがって、ショックアブソーバ自体が大型になることなく、ショックアブソーバの衝撃吸収能力が更に向上する。
【００１０】
【発明の実施の形態】
本発明に係るショックアブソーバを、図１と図２とを参照して説明する。図１は、本発明に係るショックアブソーバの構造を示す概略断面図である。図２は、図１のショックアブソーバの主要部分の構造を分解して示す斜視図である。図１に示されるように、本発明に係るショックアブソーバ１は、ケーシング２と、ロッド３と、圧力室４と、ピストン５と、作動流体６とから構成されている。ケーシング２は、その内部が圧力室４を構成する円筒状の部材である。ロッド３は、ケーシング２の外部に突き出すとともに軸方向（図の上下方向）に進退自在に設けられており、ケーシング２の外部において外力（衝撃）が加えられる棒状の部材である。ピストン５は、圧力室４においてロッド３の先端に取り付けられ、例えば、シリコーンオイルからなる作動流体６を押圧しつつ圧力室４の内部を摺動する摺動部材である。したがって、圧力室４は、ピストン５によって下側部７と上側部８とに分けられていることになる。また、圧力室４は、ケーシング２の端面において、ロッド３の周囲に設けられたシール用部材であるロッドパッキン９によって密閉されている。
【００１１】
加えて、次の構成要素が設けられているが、本発明には直接関係しないので、図示していない。まず、下側部７には、押し込まれたロッド３を復帰させる復帰スプリングが、設けられている。また、上側部８には、ロッド３が圧力室４に押し込まれることによる作動流体６の溢れ出し分を収容するアキュムレータが、設けられている。また、ピストン５には、ロッド３を迅速に復帰させるための逆止弁が、設けられている。
【００１２】
ピストン５の詳細を、図１と図２とを参照して説明する。図１と図２とにおいて示されるように、ピストン５は、ロッド３に固定された円板状のロッド側部材１０と、ロッド側部材１０に重ね合わされて固定されピストン５の先端を構成する円板状の先端側部材１１と、それら２つの部材の少なくとも一方（図２では先端側部材１１）における側面に設けられた溝に嵌装されたＯリング１２とから構成される。そして、ロッド側部材１０を貫通してロッド側オリフィス１３が、先端側部材１１を貫通して先端側オリフィス１４が、平面的に見て互いに重ならないようにしてそれぞれ設けられている。また、ロッド側部材１０と先端側部材１１との接合面には、それら２つの部材の少なくとも一方（図２では先端側部材１１）に、ロッド側オリフィス１３と先端側オリフィス１４とを連通する連通路１５が設けられている。図２に示されているように、連通路１５は、ロッド側部材１０と先端側部材１１との接合面において、平面的に見て円弧状に設けられている。言い換えれば、連通路１５は、ロッド側オリフィス１３と先端側オリフィス１４とを最短経路以外の経路で連通するようにして、設けられている。ここで、ロッド側オリフィス１３と先端側オリフィス１４と連通路１５とは、併せて作動流体６が流動する流路１６を構成する。
【００１３】
本発明に係るショックアブソーバ１の動作を、図１と図２とを参照して説明する。外部からロッド３に対して衝撃が加えられた場合に、ロッド３は急激に下降しようとすることにより、ピストン５が下降して圧力室４における下側部７で作動流体６を急激に押圧する。これにより、作動流体６が、流路１６を経由して下側部７から上側部８へと流動しようとする。ここで、ロッド３に対して加えられた衝撃は、作動流体６が流路１６を流動する際に生ずる抵抗によって減衰する。本発明によれば、連通路１５の存在により流路１６が長くなっているので、作動流体６が流路１６を流動する際に生ずる抵抗が増加する。特に、接合面において連通路１５が円弧状に設けられていることにより流路１６がいっそう長くなっているので、流路１６において生ずる抵抗が更に増加する。これらのことにより、ロッド３に対して加えられた衝撃が減衰する程度が大きくなるので、ショックアブソーバ１の衝撃吸収能力が向上することになる。
【００１４】
以上説明したように、本発明によれば、ピストン５と同じ厚さを有するピストンを使用する単孔オリフィス構造のショックアブソーバに比較して、流路１６が長くなるので、流路１６において生ずる抵抗が増加する。これにより、ロッド３に対して加えられた衝撃が減衰する程度が大きくなる。したがって、ショックアブソーバ１を大型化することなく、ショックアブソーバ１の衝撃吸収能力が向上する。
【００１５】
なお、上述の説明では、接合面において、平面的に見て連通路１５が円弧状に設けられていることとした。これに限らず、さほど大きな衝撃吸収能力が必要でない場合には、連通路１５を、平面的に見て円弧状ではなく、最短経路を通るようにして、すなわち直線状に設けることもできる。また、更に大きな衝撃吸収能力が必要であれば、連通路１５を、平面的に見てジグザグ状に設けてもよい。
【００１６】
また、作動流体６としては、シリコーンオイル以外の流体を使用することができる。
【００１７】
また、ケーシング２は円筒状の部材であることとしたが、この形状に限らず、筒形の形状であればよい。
【００１８】
また、連通路１５は先端側部材１１に設けられることとした。これに限らず、連通路１５を、ロッド側部材１０に設けてもよく、更に、ロッド側部材１０と先端側部材１１との両方の部材に設けてもよい。
【００１９】
また、本発明は、上述の実施形態に限定されるものではなく、本発明の趣旨を逸脱しない範囲内で、必要に応じて、任意にかつ適宜に組み合わせ、変更し、又は選択して採用できるものである。
【００２０】
【発明の効果】
本発明によれば、圧力室においてピストンのロッド側と先端側との間を作動流体が流動する経路、すなわち流路が、接合面に設けられた連通路によって長大になる。これにより、ピストンの厚さを増すことなく、流路を長大にすることができるので、その流路において作動流体が流動する際に生ずる抵抗が増加する。したがって、ショックアブソーバ自体が大型になることなく、ショックアブソーバの衝撃吸収能力が向上する。また、接合面において連通路が最短経路以外の経路を通ることにより、流路をいっそう長大にすることができるので、ショックアブソーバの衝撃吸収能力が更に向上する。これらにより、本発明は、ショックアブソーバ自体を大型化することなく、優れた衝撃吸収能力を有するショックアブソーバを提供するという、優れた実用的な効果を奏するものである。
【図面の簡単な説明】
【図１】本発明に係るショックアブソーバの構造を示す概略断面図である。
【図２】図１のショックアブソーバの主要部分の構造を分解して示す斜視図である。
【符号の説明】
１  ショックアブソーバ
２  ケーシング（筒状部材）
３  ロッド
４  圧力室
５  ピストン
６  作動流体
７  下側部
８  上側部
９  ロッドパッキン
１０  ロッド側部材
１１  先端側部材
１２  Ｏリング
１３  ロッド側オリフィス
１４  先端側オリフィス
１５  連通路
１６  流路
【図１】
2004211823.tif 000003
【図２】
2004211823.tif 000004